【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
Ｈ．２６４方式で圧縮された符号化データを再生する再生装置であって、
参照ピクチャを参照して、当該符号化データを復号化する復号化手段（１２）と、
当該復号化手段により復号化されたピクチャを当該参照ピクチャとして一時記憶するピクチャメモリ（１６）と、
当該復号化手段の復号化に必要な参照ピクチャが当該ピクチャメモリに格納されているかどうかを判定する参照ピクチャ判定手段（１８）と、
当該参照ピクチャ判定手段によって当該復号化手段の復号化に必要な参照ピクチャが当該ピクチャメモリに格納されていないと判定されたことに応じて、当該符号化データに含まれるＩＤＲ（Instantaneous Decoder Refresh）ピクチャから復号化をやり直すよう制御する復号化制御手段（１８）と、
当該復号化制御手段によって当該ＩＤＲピクチャから復号化のやり直しを行ったことに応じて、当該復号化のやり直しの後に当該復号化手段により復号化されたピクチャについてはピクチャサイズを低減し、当該ピクチャサイズが低減されたピクチャを当該参照ピクチャとして当該ピクチャメモリに供給するリサイズ手段（２２）
とを具備することを特徴とする再生装置。
【請求項２】
Ｈ．２６４方式で圧縮された符号化データを再生する再生装置であって、
参照ピクチャを参照して、当該符号化データを復号化する復号化手段（１２）と、
当該復号化手段により復号化されたピクチャを当該参照ピクチャとして一時記憶するピクチャメモリ（１６）と、
当該復号化手段の復号化に必要な参照ピクチャが当該ピクチャメモリに格納されているかどうかを判定する参照ピクチャ判定手段（１８）と、
当該参照ピクチャ判定手段によって当該復号化手段の復号化に必要な参照ピクチャが当該ピクチャメモリに格納されていないと判定されたことに応じて、当該符号化データに含まれるＩＤＲ（Instantaneous Decoder Refresh）ピクチャから復号化をやり直すよう制御する復号化制御手段（１８）と、
当該復号化制御手段によって当該ＩＤＲピクチャから復号化のやり直しを行ったことに応じて、当該復号化のやり直しの後に当該復号化手段により復号化されたピクチャについては一方のフィールドを選択し、当該選択された一方のフィールドのみのピクチャを当該参照ピクチャとして当該ピクチャメモリに供給するフィールド選択手段（２６）
とを具備することを特徴とする再生装置。
【手続補正２】
【補正対象書類名】明細書
【補正対象項目名】０００３
【補正方法】変更
【補正の内容】
【０００３】
たとえば、デジタルビデオカメラにおいても、テープ媒体のみではなく、メモリカードやディスク媒体への動画の記録・再生機能を有するものが広く出回っており、テープ媒体を用いないビデオカメラも登場してきている。このような機器で映像又は音声を記録する場合、通常はデータを圧縮することでデータ量の削減をはかっている。よく用いられる動画の圧縮符号化方式の規格にはＭＰＥＧ（Moving Picture Experts Group）で定めているＭＰＥＧ１、２がある。ＭＰＥＧ−１は、動画像信号を１．５Ｍｂｐｓまで圧縮し、ＭＰＥＧ−２では、動画像信号を２〜１５Ｍｂｐｓに圧縮する。
【手続補正３】
【補正対象書類名】明細書
【補正対象項目名】００１６
【補正方法】変更
【補正の内容】
【００１６】
上記の目的を達成するために、本発明に係る再生装置は、Ｈ．２６４方式で圧縮された符号化データを再生する再生装置であって、参照ピクチャを参照して、当該符号化データを復号化する復号化手段と、当該復号化手段により復号化されたピクチャを当該参照ピクチャとして一時記憶するピクチャメモリと、当該復号化手段の復号化に必要な参照ピクチャが当該ピクチャメモリに格納されているかどうかを判定する参照ピクチャ判定手段と、当該参照ピクチャ判定手段によって当該復号化手段の復号化に必要な参照ピクチャが当該ピクチャメモリに格納されていないと判定されたことに応じて、当該符号化データに含まれるＩＤＲ（Instantaneous Decoder Refresh）ピクチャから復号化をやり直すよう制御する復号化制御手段と、当該復号化制御手段によって当該ＩＤＲピクチャから復号化のやり直しを行ったことに応じて、当該復号化のやり直しの後に当該復号化手段により復号化されたピクチャについてはピクチャサイズを低減し、当該ピクチャサイズが低減されたピクチャを当該参照ピクチャとして当該ピクチャメモリに供給するリサイズ手段とを具備することを特徴とする。
【手続補正４】
【補正対象書類名】明細書
【補正対象項目名】００１７
【補正方法】変更
【補正の内容】
【００１７】
本発明に係る再生装置は、Ｈ．２６４方式で圧縮された符号化データを再生する再生装置であって、参照ピクチャを参照して、当該符号化データを復号化する復号化手段と、当該復号化手段により復号化されたピクチャを当該参照ピクチャとして一時記憶するピクチャメモリと、当該復号化手段の復号化に必要な参照ピクチャが当該ピクチャメモリに格納されているかどうかを判定する参照ピクチャ判定手段と、当該参照ピクチャ判定手段によって当該復号化手段の復号化に必要な参照ピクチャが当該ピクチャメモリに格納されていないと判定されたことに応じて、当該符号化データに含まれるＩＤＲ（Instantaneous Decoder Refresh）ピクチャから復号化をやり直すよう制御する復号化制御手段と、当該復号化制御手段によって当該ＩＤＲピクチャから復号化のやり直しを行ったことに応じて、当該復号化のやり直しの後に当該復号化手段により復号化されたピクチャについては一方のフィールドを選択し、当該選択された一方のフィールドのみのピクチャを当該参照ピクチャとして当該ピクチャメモリに供給するフィールド選択手段とを具備することを特徴とする。
【手続補正５】
【補正対象書類名】明細書
【補正対象項目名】００１８
【補正方法】変更
【補正の内容】
【００１８】
本発明によれば、ＩＤＲピクチャから復号化のやり直しを行った後は、参照ピクチャを格納するピクチャメモリに保持できる参照ピクチャ数を増やすことができるので、参照ピクチャが格納されていないことによる復号化の破綻を起こしにくくすることができる。
【手続補正６】
【補正対象書類名】明細書
【補正対象項目名】００２０
【補正方法】変更
【補正の内容】
【００２０】
図１は、本発明の一実施例の概略構成ブロック図である。再生装置１０は、コーデック１２、記録媒体１４、ピクチャメモリ１６、ＣＰＵ１８、表示装置２０、リサイズ装置２２及びアップコンバータ２４を具備する。コーデック１２は、Ｈ．２６４の画像圧縮方式でデジタル画像信号を圧縮符号化し、圧縮画像データを生成するエンコーダ（符号化装置）と、圧縮画像データを復号して、元の画像データを復元するデコーダ（復号化装置）からなる。
【手続補正７】
【補正対象書類名】明細書
【補正対象項目名】００２７
【補正方法】変更
【補正の内容】
【００２７】
また、参照ピクチャ領域に当初から空きがあれば（Ｓ１１）、復号化したピクチャを参照ピクチャ領域に格納する（Ｓ１５）。
【手続補正８】
【補正対象書類名】明細書
【補正対象項目名】００３９
【補正方法】変更
【補正の内容】
【００３９】
本実施例では、図３又は図４に示すピクチャメモリ１６の管理によっても、復号化に必要な参照ピクチャをピクチャメモリ１６に格納できない場合に、フィールド選択装置２６を使い、特定のフィールドの画像データを参照ピクチャとしてピクチャメモリ１６の参照ピクチャ領域に格納する。
【手続補正９】
【補正対象書類名】明細書
【補正対象項目名】００４２
【補正方法】変更
【補正の内容】
【００４２】
実施例２では、参照ピクチャの片フィールドのみをピクチャメモリ１６に格納するので、ピクチャメモリ１６の参照ピクチャ領域に実質、２倍のピクチャ数を収容できる。